【事件の表示】
　特願２００５−３７７７５７「表示装置およびその駆動方法」拒絶査定不服審判事件〔平成１８年１１月　２日出願公開、特開２００６−３０１５８１〕について、次のとおり審決する。
【結　論】
　本件審判の請求は、成り立たない。
【理　由】
第１　手続の経緯
　特許出願：　平成１７年１２月２８日
　（パリ条約による優先権主張２００５年４月１８日、韓国）
　手続補正：　平成２１年１０月６日（以下、「補正１」という。）  
　手続補正：　平成２２年６月２９日 （以下、「補正２」という。）
　補正２の却下：　平成２３年８月４日付け（送達日：同年同月１０日）  
　手続補正：　平成２４年１月１０日 （以下、「補正３」という。）
　補正３の却下：　平成２４年１０月３１日付け（送達日：同年１１月６日）  
　拒絶査定：　平成２４年１０月３１日付け（送達日：同年１１月６日）  
　拒絶査定不服審判の請求：　平成２５年３月６日  
　手続補正：　平成２５年３月６日（以下、「本件補正」という。）
　審尋    ：　平成２５年１０月８日付け（発送日：同年同月１０日）
　審尋に対する回答書：　平成２５年１２月２７日
　
  　
第２　補正の却下の決定
　
［結論］
　本件補正を却下する。
　
［理由］
１ 補正の内容
  本件補正によって、特許請求の範囲の請求項１は、以下のように補正された。
　
（補正前）
「複数の画素を有する表示パネルであって、前記複数の画素の各々は、多数のデータラインおよび多数のスキャンラインとの交差部に形成され、縦方向に配列されたＲ、Ｇ、及びＢの各サブピクセル、前記交差部に形成された複数の薄膜トランジスタを含む、表示パネルと、
　前記複数のスキャンラインを駆動するための、前記表示パネルの両端側に置かれた第１及び第２スキャンドライバと、
　前記複数のデータラインを駆動するためのデータドライバとを含み、
　前記第１スキャンドライバは、複数の回路段を備え、前記第２スキャンドライバは、複数の回路段を備え、
　前記第１スキャンドライバの回路段の各々は、各スキャンラインを通じて、前記第２スキャンドライバの回路段の各々に接続され、
　前記複数の薄膜トランジスタは、奇数番目のスキャンラインと接続される前記サブピクセルの第１薄膜トランジスタ、及び偶数番目のスキャンラインと接続される前記サブピクセルの第２薄膜トランジスタを含み、
各回路段の高さは、前記縦方向に隣接する２つのサブピクセルの高さに等しい表示装置。」　
（補正後）
「複数の画素を有する表示パネルであって、前記複数の画素の各々は、多数のデータラインおよび多数のスキャンラインとの交差部に形成され、縦方向に配列されたＲ、Ｇ、及びＢの各サブピクセル、前記交差部に形成された複数の薄膜トランジスタを含む、表示パネルと、
　前記複数のスキャンラインを駆動するための、前記表示パネルの両端側に置かれた第１及び第２スキャンドライバと、
　前記複数のデータラインを駆動するためのデータドライバとを含み、
　前記第１スキャンドライバは、複数の回路段を備え、前記第２スキャンドライバは、複数の回路段を備え、
　前記第１スキャンドライバの回路段の各々は、各スキャンラインを通じて、前記第２スキャンドライバの回路段の各々に接続され、
　前記複数の薄膜トランジスタは、奇数番目のスキャンラインと接続される前記サブピクセルの第１薄膜トランジスタ、及び偶数番目のスキャンラインと接続される前記サブピクセルの第２薄膜トランジスタを含み、
　各回路段の高さは、前記縦方向に隣接する２つのサブピクセルの高さに等しく、
　前記第１スキャンドライバの回路段の一つから発生したスキャン信号は、一つの対応するスキャンライン上に配置されたサブピクセルと、前記第２スキャンドライバの回路段とに供給され、
　前記第２スキャンドライバの回路段は、前記スキャン信号に応じて、該スキャン信号とは別のスキャン信号を発生し
　前記第１スキャンドライバは奇数番目の回路段を含み、前記第２スキャンドライバは偶数番目の回路段を含み、
　前記第１スキャンドライバの出力信号に応答して、前記奇数番目のスキャンラインに接続された前記サブピクセルの薄膜トランジスタはターンオン／オフされ、前記第１スキャンドライバの出力信号は前記第２スキャンドライバの入力信号として使用され、
　前記第２スキャンドライバの出力信号に応答して、前記偶数番目のスキャンラインに接続された前記サブピクセルの薄膜トランジスタはターンオン／オフされ、前記第２スキャンドライバの出力信号は前記第１スキャンドライバの入力信号として使用される、ことを特徴とする表示装置。」
　
　上記補正は、補正前の（すなわち、補正１による補正後の）請求項１に記載されたスキャンドライバの発生するスキャン信号が、他のスキャンドライバに供給され、入力信号として使用されること等を限定するものであるから、この補正は、特許請求の範囲の減縮を目的とする補正に該当する。
　そこで、本件補正後の前記請求項１に記載された発明（以下、「本願補正発明」という。）が特許出願の際独立して特許を受けることができるものであるかについて以下に検討する。
　
２　検討　
（１）引用例１記載の事項・引用発明１
　原査定の拒絶の理由に引用され、本願の優先日前に日本国内において頒布された刊行物である特開２０００−３４７６２８号公報（以下「引用例１」という。）には、「表示装置及び撮像装置」（【発明の名称】）の発明に関し、次の事項（ａ）ないし（ｄ）が記載されている。
　
（ａ）
「【００１２】
【発明が解決しようとする課題】本発明の目的は、表示素子または撮像素子とそれを駆動するドライバとの関係において、表示素子または撮像素子のドライバに対する面積割合を大きくし、しかも表示素子または撮像素子をほぼ中央に配置することができる表示装置及び撮像装置を提供することにある。
【００１３】本発明の他の目的は、走査用のドライバを表示素子または撮像素子を介して対向するように配置しても、ドライバを制御するための制御信号の種類が多くならない表示装置及び撮像装置を提供することにある。」
　
（ｂ）
「【００４１】［第１の実施の形態］図１は、この実施の形態にかかる液晶表示装置の構成を示すブロック図である。図示するように、この液晶表示装置は、液晶表示素子１と、奇数ドライバ２ｏ及び偶数ドライバ２ｅからなるゲートドライバ２と、データドライバ３と、コントローラ４とから構成されている。
【００４２】液晶表示素子１は、一対の基板間に液晶を封入したもので、その一方の基板（以下、第１基板という）上には、複数の画素電極がマトリクス状に形成されており、画素間の行方向には２ｎ本（ｎ：１以上の整数）のゲートラインＧＬ１〜ＧＬ２ｎ（走査ライン）が、画素間の列方向にはデータラインＤＬが伸延して形成されている。また、第１基板上には、各画素電極に対応して、ゲートがゲートラインＧＬ１〜ＧＬ２ｎに、ドレインがデータラインＤＬに、ソースが画素電極にそれぞれ接続されたアクティブ素子としてのＴＦＴ１ａが形成されている。
　・・・
【００４４】ゲートドライバ２は、奇数行のゲートラインＧＬ１、ＧＬ３、・・・を走査するための奇数ドライバ２ｏと、偶数行のゲートラインＧＬ２、ＧＬ４、・・・を走査するための偶数ドライバ２ｅとからなる。奇数ドライバ２ｏと偶数ドライバ２ｅは、いずれも液晶表示素子１を構成する第１基板上に形成されており、ゲートラインＧＬ１〜ＧＬ（２ｎ−１）を介して互いに接続されている。」
　
（ｃ）
「【００５０】次に、ゲートドライバ２の回路構成について、図３を参照して詳しく説明する。図３に示すように、奇数ドライバ２ｏの各段ＲＳ１ｏ（ｉ）及び偶数ドライバ２ｅの各段ＲＳ１ｅ（ｉ）は、それぞれ５つのｎチャネル型のＴＦＴ２０１〜２０５を備える（但し、ｉ＝１，２，・・・，ｎ）。ＴＦＴ２０１〜２０５の半導体層は、アモルファスシリコン或いはポリシリコンによって構成されている。
　・・・
【００５６】このとき、制御信号Φ１がローレベルのためＴＦＴ２０１はオフ状態であるので、配線容量Ｃ４は、ｓｔａｒｔ信号ＩＮによりチャージされている状態が保持されている。ＴＦＴ２０４のドレインには、制御信号ＣＫが供給されており、タイミングＴ１において制御信号ＣＫがハイレベルになると、ＴＦＴ２０４のドレイン−ソース間に電流が流れ、ハイレベルの選択信号が液晶表示素子１の第１行のゲートラインＧＬ１に出力される。このとき、出力される選択信号電位が高いほどＴＦＴ２０４のゲート−ソース間のゲート絶縁膜及びゲート−ドレイン間のゲート絶縁膜の寄生容量がチャージアップされるため容量Ｃ４のチャージ電圧が高くなり、ＴＦＴ２０４の選択信号は飽和電圧まで達することができる。このハイレベルの選択信号は、ゲートラインＧＬ１を介して偶数ドライバ２ｅの第１段ＲＳ１ｅ（１）に供給される。
　・・・
【００５８】なお、奇数ドライバ２ｏの他の段ＲＳ１ｅ（ｉ）における動作は、ｓｔａｒｔ信号ＩＮをゲートラインＧＬ２（ｉ−１）からの信号に入れ替えれば、奇数ドライバ２ｏの第１段ＲＳ１ｏ（１）と実質的に同一である。また、偶数ドライバ２ｅの各段ＲＳ１ｅ（ｉ）における動作は、ｓｔａｒｔ信号ＩＮをゲートラインＧＬ２ｉ−１からの信号に、制御信号Φ１を制御信号Φ２に、制御信号ＣＫを¬ＣＫにそれぞれ入れ替えれば、奇数ドライバ２ｏの第１段ＲＳ１ｏ（１）と実質的に同一である。」
　
（ｄ）
「【００５９】以下、この実施の形態にかかる液晶表示装置の動作について、図４のタイミングチャートで示されるゲートドライバ２の動作を中心として説明する。
　・・・
【００６４】タイミングＴ１〜Ｔ２の間、ゲートラインＧＬ１の電位がハイレベルになると、液晶表示素子１の第１行のＴＦＴ１ａがオンする。このとき、データドライバ３は、コントローラ４からの制御信号ｃｎｔに従って、タイミングＴ０〜Ｔ１の間で取り込んでおいた第１行の画像データＩＭＧに対応する表示信号を、各データラインＤＬに出力する。この表示信号は、オンしているＴＦＴ１ａを介して第１行の画素容量１ｂに書き込まれ、書き込まれた表示信号に従ってその間の液晶の配向状態が変化することで、表示信号に対応した画像が表示される。
　・・・
【００６６】また、タイミングＴ１〜Ｔ２の間、液晶表示素子１の第１行のゲートラインＧＬ１のハイレベルの選択信号ＯＵＴ１は、偶数ドライバ２ｅの第１段ＲＳ１ｅ（１）（以下、偶数第１段という）のＴＦＴ２０１のドレインに供給されている。タイミングＴ１〜Ｔ２の間の一定の期間、制御信号Φ２が立ち上がると、偶数ドライバ２ｅの各段ＲＳ１ｅ（ｉ）のＴＦＴ２０１をオンする。これにより、偶数第１段の配線容量Ｃ２、Ｃ４がチャージされ、その信号レベルがハイレベルとなる。
　・・・
【００６９】次に、タイミングＴ２において、制御信号¬ＣＫがハイレベルとなる。ここで、偶数第１段のＴＦＴ２０４がオン、偶数第１段のＴＦＴ２０５がオフとなっていることから、偶数第１段からハイレベルの選択信号ＯＵＴ２が、第２行のゲートラインＧＬ２に出力される。ここで、偶数第１段のＴＦＴ２０４の寄生容量により偶数第１段のＴＦＴ２０４のゲート電圧がより高くなり、制御信号¬ＣＫのハイレベルの電圧をＶＨとすると、偶数第１段のＴＦＴ２０４から出力される電圧は飽和されて、ほとんど減衰されずにほぼ電圧ＶＨで選択信号ＯＵＴ２としてゲートラインＧＬ２に出力される。ゲートラインＧＬ２に出力されている選択信号ＯＵＴ１は、タイミングＴ３で制御信号¬ＣＫがローレベルに変化すると、ローレベルとなる。」
　　
　上記記載（ａ）ないし（ｄ）及び図面の図１ないし４の記載から、引用例１には、次の発明が記載されていると認められる。
　
「複数の画素を有する液晶表示素子１であって、前記複数の画素の各々は、多数のデータラインＤＬおよび多数のゲートラインＧＬとの交差部に形成され、前記交差部に形成されたＴＦＴ１ａを含む、液晶表示素子１と、
　前記複数のゲートラインＧＬを駆動するための、前記液晶表示素子１の両端側に置かれた奇数ドライバ２ｏと偶数ドライバ２ｅと、
　前記複数のデータラインＤＬを駆動するためのデータドライバ３とを含み、
　前記奇数ドライバ２ｏは、複数の段ＲＳ１ｏ（ｉ）を備え、前記偶数ドライバ２ｅは、複数の段ＲＳ１ｅ（ｉ）を備え、
　前記奇数ドライバ２ｏの段の各々は、各ゲートラインＧＬを通じて、前記偶数ドライバ２ｅの段の各々に接続され、
　前記ＴＦＴ１ａは、奇数番目のゲートラインＧＬと接続される前記画素のＴＦＴ１ａ、及び偶数番目のゲートラインＧＬと接続される前記画素のＴＦＴ１ａを含み、
　前記奇数ドライバ２ｏの段の一つから発生したハイレベルの選択信号は、一つの対応するゲートラインＧＬ上に配置された画素と、前記偶数ドライバ２ｅの段とに供給され、
　前記偶数ドライバ２ｅの段は、前記ハイレベルの選択信号に応じて、該ハイレベルの選択信号とは別のハイレベルの選択信号を発生し、
　前記第奇数ドライバ２ｏは奇数番目の段を含み、前記偶数ドライバ２ｅは偶数番目の段を含み、
　前記奇数ドライバ２ｏの出力信号に応答して、前記奇数番目のゲートラインＧＬに接続された前記画素のＴＦＴ１ａはオンされ、前記奇数ドライバ２ｏの出力信号は前記偶数ドライバ２ｅの入力信号として使用され、
　前記偶数ドライバ２ｅの出力信号に応答して、前記偶数番目のゲートラインＧＬに接続された前記画素のＴＦＴ１ａはオンされ、前記偶数ドライバ２ｅの出力信号は前記奇数ドライバ２ｏの入力信号として使用される、ことを特徴とする表示装置。」（以下、「引用発明１」という。） 
　
（２）対比
　本願補正発明と引用発明１とを対比する。 
　まず、引用発明１における「画素」は、本願補正発明の「サブピクセル」に相当する。同様に、引用発明１の「液晶表示素子１」、「データラインＤＬ」、「ゲートラインＧＬ」、及び「ＴＦＴ１ａ」は、それぞれ、本願補正発明の「表示パネル」、「データライン」、「スキャンライン」、及び「薄膜トランジスタ」に相当する。
　本願補正発明において、「複数の画素の各々」は、「サブピクセル」を含むものであるから、「複数の画素の各々」がデータライン及びスキャンラインの交差部に形成されるということは、すなわち、「サブピクセル」もまた該交差部に形成されるということである。したがって、引用発明１において「複数の画素を有する液晶表示素子１であって、前記複数の画素の各々は、多数のデータラインＤＬおよび多数のゲートラインＧＬとの交差部に形成され」ることと、本願補正発明において「複数の画素を有する表示パネルであって、前記複数の画素の各々は、多数のデータラインおよび多数のスキャンラインとの交差部に形成され」ることとは、共に「複数のサブピクセルを有する表示パネルであって、前記複数のサブピクセルの各々は、多数のデータラインおよび多数のスキャンラインとの交差部に形成され」る点で共通する。
　また、引用発明１の「奇数ドライバ２ｏと偶数ドライバ２ｅ」は、本願補正発明の「第１及び第２スキャンドライバ」に相当し、同様に、引用発明１の「複数の段ＲＳ１ｏ（ｉ）」及び「複数の段ＲＳ１ｅ（ｉ）」、は、本願補正発明の「複数の回路段」に相当する。
　さらに、引用発明１の「ハイレベルの選択信号」は、本願補正発明の「スキャン信号」に相当する。
　
　してみると、両者の一致点及び相違点は、以下のとおりである。
　                        
（一致点）
「複数のサブピクセルを有する表示パネルであって、前記複数のサブピクセルの各々は、多数のデータラインおよび多数のスキャンラインとの交差部に形成され、前記交差部に形成された複数の薄膜トランジスタを含む、表示パネルと、
　前記複数のスキャンラインを駆動するための、前記表示パネルの両端側に置かれた第１及び第２スキャンドライバと、
　前記複数のデータラインを駆動するためのデータドライバとを含み、
　前記第１スキャンドライバは、複数の回路段を備え、前記第２スキャンドライバは、複数の回路段を備え、
　前記第１スキャンドライバの回路段の各々は、各スキャンラインを通じて、前記第２スキャンドライバの回路段の各々に接続され、
　前記複数の薄膜トランジスタは、奇数番目のスキャンラインと接続される前記サブピクセルの第１薄膜トランジスタ、及び偶数番目のスキャンラインと接続される前記サブピクセルの第２薄膜トランジスタを含み、
　前記第１スキャンドライバの回路段の一つから発生したスキャン信号は、一つの対応するスキャンライン上に配置されたサブピクセルと、前記第２スキャンドライバの回路段とに供給され、
　前記第２スキャンドライバの回路段は、前記スキャン信号に応じて、該スキャン信号とは別のスキャン信号を発生し
　前記第１スキャンドライバは奇数番目の回路段を含み、前記第２スキャンドライバは偶数番目の回路段を含み、
　前記第１スキャンドライバの出力信号に応答して、前記奇数番目のスキャンラインに接続された前記サブピクセルの薄膜トランジスタはターンオン／オフされ、前記第１スキャンドライバの出力信号は前記第２スキャンドライバの入力信号として使用され、
　前記第２スキャンドライバの出力信号に応答して、前記偶数番目のスキャンラインに接続された前記サブピクセルの薄膜トランジスタはターンオン／オフされ、前記第２スキャンドライバの出力信号は前記第１スキャンドライバの入力信号として使用される、ことを特徴とする表示装置。」
　
　（相違点）　
相違点１：本願補正発明においては、「縦方向に配列されたＲ、Ｇ、及びＢの各サブピクセル」を含む画素が形成されているのに対し、引用発明１においては複数のピクセル（画素）によって画素が形成されているのか否かが不明である点。
　　
相違点２：本願補正発明においては、スキャンドライバの「各回路段の高さは、前記縦方向に隣接する２つのサブピクセルの高さに等し」いのに対し、引用発明１においては回路段（段）の高さとピクセル（画素）の高さとの関係が不明である点。
　
（３）判断
ア　相違点１について
　原査定の拒絶の理由に引用され、本願の優先日前に頒布された刊行物である特開平１１−４５０７２号公報（以下、「引用例２」という。）には、次の事項（ａ）ないし（ｄ）が記載されている。
　
（ａ）
「【０００１】
【発明の属する技術分野】本発明は複数の基本色、例えば、Ｒ（赤色）、Ｇ（緑色）、Ｂ（青色）を組み合わせて１つの色を表示するマトリクス駆動の表示装置およびその駆動方法に関する。」
　
（ｂ）
「【０００７】ここで前記ドライバの消費電力は、以下に記載する如くソースドライバＳｄの方がゲートドライバＧｄより大きいとされている。
　・・・
また、ソースドライバの方がゲートドライバよりも一般に単価において倍程度高価であることも知られている。
【０００８】
　・・・以上の背景から、更なる大画面化、高階調化が進められている液晶表示装置の低コスト化、低消費電力化を図るためには、これらの高価格なドライバの必要数を少なくすることが望まれている。・・・」
　　
（ｃ）
「【００１０】
【課題を解決するための手段】本発明は前記課題を解決するために、多数の走査線と多数の信号線とによって多数の画素がマトリクス駆動されるとともに、前記各信号線方向に沿って複数の基本色の組み合わせが繰り返し配列され、前記走査線の数が前記信号線に沿って並ぶ全画素の数とされ、前記信号線に沿って配列された基本色の順番が前記信号線に沿って繰り返し同じ順番とされ、前記走査線に沿って同じ基本色が配列されてなるとともに、ソースドライバから各一走査線当たりの各信号線に送られる信号を順次ソースドライバに送る信号入力手段を有することを特徴とする。」
　
（ｄ）
「【００１４】
【発明の実施の形態】以下、図面を参照して本発明の実施の形態について説明する。図１は本発明を薄膜トランジスタ駆動方式の液晶表示装置に適用した一形態を示すもので、この形態において２枚の透明基板間に液晶が封入されて液晶表示装置１０が構成され、この液晶表示装置１０の透明基板の上縁部にソースドライバＳｄが３個（Ｓｄ1〜Ｓｄ3）、液晶表示装置１０の透明基板の左側部と右側部にそれぞれ３個、合計６個のゲートドライバＧｄ（Ｇｄ1〜Ｇｄ6）が設けられている。次に、前記液晶表示装置１０を構成する２枚の透明基板のうち、一方の基板には共通電極とカラーフィルタが設けられ、他方の透明基板には薄膜トランジスタ回路が構成されている。その回路構成のうちの１絵素に相当する部分を図２に拡大して示す。この形態における１つの絵素１２は、２本の縦列の信号線Ｓ1、Ｓ2と４本の横列の走査線Ｇ1、Ｇ2、Ｇ3、Ｇ4によって区画された領域で構成されている。そして、信号線Ｓ1、Ｓ2、と走査線Ｇ1、Ｇ2とにより囲まれた領域に１つの画素電極１１が設けられてこの領域が１つの画素とされ、信号線Ｓ1、Ｓ2、と走査線Ｇ2、Ｇ3とにより囲まれた領域に１つの画素電極１１が設けられてこの領域が１つの画素とされ、信号線Ｓ1、Ｓ2、と走査線Ｇ3、Ｇ4とにより囲まれた領域に１つの画素電極１１が設けられてこの領域が１つの画素とされ、これら３つの画素によって１つの絵素１２が構成されるとともに、各画素電極１１の側部側にそれぞれスイッチ素子としての薄膜トランジスタＴが構成されている。
【００１５】また、前記画素電極１１が構成された透明基板に対向する他の基板にはカラーフィルタが設けられるが、この形態においては図２に示す１つの絵素のうち、上段の画素電極１１に対向する位置に図３に示すようにＲのカラーフィルタが、中段の画素電極１１に対向する位置に図３に示すようにＧのカラーフィルタが、下段の画素電極１１に対向する位置に図３に示すようにＢのカラーフィルタがそれぞれ配置される。また、他の複数の絵素も含めたカラーフィルタのＲＧＢの配置関係を図３に示すが、この形態においては、各信号線Ｓの長さ方向（図３の上下方向）に沿ってＲＧＢ、ＲＧＢの色の順序でカラーフィルタが配列され、走査線Ｇ1の方向にはＲ、走査線Ｇ2の方向にはＧ、信号線Ｇ3の方向にはＢ、走査線Ｇ4の方向にはＲ、走査線Ｇ5の方向にはＧ、走査線Ｇ6の方向にはＢの順にそれぞれカラーフィルタが配置され、以下、その他のカラーフィルタも同様な順序で配置されている。」
　
　上記記載（ａ）ないし（ｄ）及び図面の図１ないし３の記載から、引用例２には、次の発明が記載されていると認められる。
　
「表示装置の低コスト化、低消費電力化を図るため、縦列の信号線Ｓ（データライン）の長さ方向に沿ってＲＧＢの色の順序で画素を配列することにより、ソースドライバの必要数を少なくした表示装置。」（以下、「引用発明２」という。） 
　
　引用発明２の、低コスト化及び低消費電力化という課題は、引用発明１においても共通であることは明らかであるから、引用発明２を引用発明１に採用して相違点１に係る構成とすることは、当業者が容易になし得たものである。またそのことにより、当業者の予想し得ない特段の効果を奏するものとも認められない。
　
イ　相違点２について
　いわゆるフラットパネル型の表示装置一般において、スキャンドライバ等の周辺回路の専有面積や幅を小さくすべきという課題は技術常識である。
　具体的には、例えば、原審において周知例として引用され、本願の優先日前に頒布された刊行物である特開平１１−２０２２９５号公報（以下、「周知例」という。）にも、
「【０００７】一般に、走査線駆動回路のシフトレジスタを構成する夫々の信号転送部及び出力信号生成部は、隣り合う走査線間の距離、すなわち走査線の繰り返しパターン配列距離（以下、配列ピッチと称す。）内に形成されることが多い。・・・」
「【０００９】従って、前記夫々の信号転送部及び出力信号生成部は、前記走査線またはデータ線の配列ピッチ内に形成する構成が最も好ましい。」
　と記載されているように、走査線駆動回路（スキャンドライバ）の各信号転送部（回路段）を、走査線（スキャンライン）の配列ピッチ内に形成するのが好ましいことが知られている。これは、周辺回路のサイズが表示パネル部の幅を越えないように設計するためには当然のことといえる。
　そして、前記周知例には、
「【００７３】一方、走査線駆動回路１０４は、走査線３１の図８における左側の端部には双方向性シフトレジスタの奇数段のみを、また、図８における右側の端部には偶数段のみを設け、奇数段と偶数段とで交互に走査線３１に接続するように構成した。このように、櫛歯状に双方向性シフトレジスタの各段を配置することにより、走査線３１に平行な方向の各段の占有領域の幅ＷＶを大きくすることなく、走査線３１に垂直な方向の各段の占有領域の幅を２ＬＶまでとることができる。」
　とも記載されているように、走査線駆動回路を表示パネルの両側に振り分けて配置した場合に、画素ピッチの２倍までの高さ（縦方向に隣接する２つのサブピクセルの高さ）をとり、それによって走査線に平行な方向の幅を大きくすることなく走査線駆動回路を配置するという技術は周知（以下、「周知技術１」という。）といえる。
　引用発明１は、第１スキャンドライバと第２スキャンドライバとを表示パネルの両側に振り分けて配置した表示装置であるから、引用発明１に周知技術１を採用することは、当業者が容易になし得たものである。また、その際にスキャンドライバの回路段の高さを「縦方向に隣接する２つのサブピクセルの高さに等しく」するか、それよりも小さくするかは、必要とされる回路段の専有面積や、許容されるスキャンラインに平行な方向の幅等を勘案して適宜選択されるべき設計事項に過ぎない。
　
　したがって、本願補正発明は、引用発明１、引用発明２及び周知技術１に基づいて当業者が容易に発明をすることができたものであるから、特許法第２９条第２項の規定により特許出願の際独立して特許を受けることができないものである。
　　
３　請求人の主張について
　審判請求人は、審尋に対する回答書において、以下のような補正案を示しているので、これについて検討する。
　
（１）補正案（請求項１）
「［請求項１］
 　複数の画素を有する表示パネルであって、前記複数の画素の各々は、多数のデータラインおよび多数のスキャンラインとの交差部に形成され、縦方向に配列されたＲ、Ｇ、及びＢの各サブピクセル、前記交差部に形成された複数の薄膜トランジスタを含む、表示パネルと、 
 　前記複数のスキャンラインを駆動するための、前記表示パネルの両端側に置かれた第１及び第２スキャンドライバと、 
 　前記複数のデータラインを駆動するためのデータドライバとを含み、 
 　前記第１スキャンドライバは、複数の回路段を備え、前記第２スキャンドライバは、複数の回路段を備え、 
 　前記第１スキャンドライバの回路段の各々は、各スキャンラインを通じて、前記第２スキャンドライバの回路段の各々に接続され、 
 　前記複数の薄膜トランジスタは、奇数番目のスキャンラインと接続される前記サブピクセルの第１薄膜トランジスタ、及び偶数番目のスキャンラインと接続される前記サブピクセルの第２薄膜トランジスタを含み、 
 　各回路段の高さは、前記縦方向に隣接する２つのサブピクセルの高さに等しく、 
 　前記第１スキャンドライバの回路段の一つから発生したスキャン信号は、一つの対応するスキャンライン上に配置されたサブピクセルと、前記第２スキャンドライバの回路段とに供給され、 
 　前記第２スキャンドライバの回路段は、前記スキャン信号に応じて、該スキャン信号とは別のスキャン信号を発生し 
 　前記第１スキャンドライバは奇数番目の回路段を含み、前記第２スキャンドライバは偶数番目の回路段を含み、 
 　前記第１スキャンドライバの出力信号に応答して、前記奇数番目のスキャンラインに接続された前記サブピクセルの薄膜トランジスタはターンオン／オフされ、前記第１スキャンドライバの出力信号は前記第２スキャンドライバの入力信号として使用され、 
 　前記第２スキャンドライバの出力信号に応答して、前記偶数番目のスキャンラインに接続された前記サブピクセルの薄膜トランジスタはターンオン／オフされ、前記第２スキャンドライバの出力信号は前記第１スキャンドライバの入力信号として使用さ
れ、  　前記奇数番目のスキャンラインに接続された前記サブピクセルの薄膜トランジスタは、前記奇数番目のスキャンライン及び前記偶数番目のスキャンラインの間に配置されていない、
　
（２）当審による検討
　上記補正案により追加された、
「前記奇数番目のスキャンラインに接続された前記サブピクセルの薄膜トランジスタは、前記奇数番目のスキャンライン及び前記偶数番目のスキャンラインの間に配置されていない」
　なる記載は、「前記奇数番目」及び「前記偶数番目」が、多数のスキャンラインのうちのいずれを指すのかが特定されておらず、その構成が不明瞭である。しかしながら、本件出願の図面（図２ないし図４）の内容からみて、上記記載は、
「前記奇数番目のスキャンラインに接続された前記サブピクセルの薄膜トランジスタは、前記接続されたスキャンライン及びその次段のスキャンラインの間に配置されていない」
　というもの、すなわち、スキャンラインに接続された薄膜トランジスタは、該スキャンラインの下側（次段方向）に配置されていない、という構成を指すものと推測できるので、以下、そのようなものとして検討する。
　
　薄膜トランジスタの配置（すなわち、サブピクセルの配置）を、接続するスキャンラインの上側とするか下側とするかは、当業者が適宜選択すべき設計事項に過ぎない。（必要であれば、上記周知例の図１，８等を参照のこと。）
　スキャンラインの上側への配置により、当業者の予想し得ない特段の効果を奏するものとも認められない。
　
　したがって、補正案の請求項１に係る発明も、引用発明１、引用発明２及び周知技術１に基づいて当業者が容易に発明をすることができたものであるから、特許法第２９条第２項の規定により特許出願の際独立して特許を受けることができないものである。また、補正案の請求項１０に係る発明に関しても同様である。
　
４　まとめ
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１　本願発明
　本件補正は前記のとおり却下されたので、本願の請求項１に係る発明は、補正１によって補正された明細書、特許請求の範囲及び図面の記載からみて、その特許請求の範囲の請求項１に記載された事項により特定されるとおりのものと認められるところ、その請求項１に係る発明は次のとおりである。（補正２及び補正３は原審において既に却下されている。）
「複数の画素を有する表示パネルであって、前記複数の画素の各々は、多数のデータラインおよび多数のスキャンラインとの交差部に形成され、縦方向に配列されたＲ、Ｇ、及びＢの各サブピクセル、前記交差部に形成された複数の薄膜トランジスタを含む、表示パネルと、
　前記複数のスキャンラインを駆動するための、前記表示パネルの両端側に置かれた第１及び第２スキャンドライバと、
　前記複数のデータラインを駆動するためのデータドライバとを含み、
　前記第１スキャンドライバは、複数の回路段を備え、前記第２スキャンドライバは、複数の回路段を備え、
　前記第１スキャンドライバの回路段の各々は、各スキャンラインを通じて、前記第２スキャンドライバの回路段の各々に接続され、
　前記複数の薄膜トランジスタは、奇数番目のスキャンラインと接続される前記サブピクセルの第１薄膜トランジスタ、及び偶数番目のスキャンラインと接続される前記サブピクセルの第２薄膜トランジスタを含み、
各回路段の高さは、前記縦方向に隣接する２つのサブピクセルの高さに等しい表示装置。」（以下「本願発明」という。）
　
２　原査定の拒絶の理由
　原査定の拒絶の理由２は、本願発明は、その優先日前に日本国内において頒布された刊行物である特開２０００−３４７６２８号公報（引用例１）及び特開平１１−４５０７２号公報（引用例２）に記載された発明に基づいて、当業者が容易に発明をすることができたものであるから、特許法第２９条第２項の規定により特許を受けることができない、というものである。
　
３　引用例１記載の事項
　引用例１に記載されている事項は、上記「第２　補正却下の決定　２検討　（１）引用例１記載の事項・引用発明１」に示したとおりである。
　
４　判断
　本願発明は、前記「第２　補正の却下の決定」の「１　補正の内容」で検討した本願補正発明から、スキャンドライバの発生するスキャン信号が、他のスキャンドライバに供給され、入力信号として使用されること等の限定を省いたものである。
　そうすると、本願発明の発明特定事項をすべて含み、さらに他の発明特定事項を減縮したものに相当する本願補正発明が、前記「第２　補正の却下の決定」の「２　検討」における「（３）判断」に記載したとおり、引用発明１、引用発明２及び周知技術１に基づいて当業者が容易に発明をすることができたものであるから、本願発明も同様の理由により、引用発明１，２及び周知技術１に基づいて当業者が容易に発明をすることができたものである。
　
　したがって、本願発明は、引用発明１、引用発明２及び周知技術１に基づいて当業者が容易に発明をすることができたものである。
　
５　むすび
　以上のとおり、本願発明は、引用発明１、引用発明２及び周知技術１に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。